(57)【要約】【課題】本体の右前箇所に搭載物が載置される置き台を備えたものにあって、本体の右前箇所を所望の作業の実施のために有効活用させることができる建設機械の提供。【解決手段】本発明に係る油圧ショベルは、作業装置３が取り付けられる取り付けブラケット１０と、旋回体２の右前箇所に位置する外装カバー１１の最前部とによって囲まれる空間部に、例えば取り付けブラケット１０に隣接して設けられて旋回体２の上方に上る際の足掛かりとなるステップ１２と、外装カバー１１とによって囲まれる空間部に設けられ、ペール缶２３を載置可能な置き台２０と、この置き台２０を外装カバー１１によって隠されるように後退可能にさせ、置き台２０を上述した空間部に前進可能にさせる置き台進退部とを備えている。【選択図】図３
2016037789.tif 000002
【特許請求の範囲】
【請求項１】
本体と、この本体に取り付けられる作業装置と、上記本体の右前箇所に配置される搭載物とを備えた建設機械において、
上記作業装置が取り付けられる取り付けブラケットと、上記本体の上記右前箇所に位置する外装カバーの最前部とによって囲まれる空間部に設けられ、上記搭載物を載置可能な置き台と、
上記置き台に上記搭載物が載置されないときに、上記置き台を上記外装カバーによって隠されるように後退可能にさせ、上記置き台に上記搭載物が載置されるときに、上記置き台を上記空間部に前進可能にさせる置き台進退部とを備えたことを特徴とする建設機械。
【請求項２】
請求項１に記載の建設機械において、
上記取り付けブラケットに隣接させて、上記本体の上方に上る際の足掛かりとなるステップを備え、
上記置き台に上記搭載物が載置されるときには、上記ステップと、上記外装カバーの最前部とによって囲まれる空間部に、上記置き台を配置したことを特徴とする建設機械。
【請求項３】
請求項２に記載の建設機械において、
上記置き台に上記搭載物を固定する固定部を備えたことを特徴とする建設機械。
【請求項４】
請求項３に記載の建設機械において、
上記置き台進退部は、上記置き台に形成され、上記本体の前後方向に沿って伸長する長穴と、上記長穴に挿入され上記置き台を固定可能なボルトとを含むことを特徴とする建設機械。
【請求項５】
請求項１〜４のいずれか１項に記載の建設機械において、
当該建設機械は、油圧ショベルから成り、
上記搭載物は、ペール缶から成ることを特徴とする建設機械。
【発明の詳細な説明】
【技術分野】
【０００１】
本発明は、本体の右前箇所にペール缶等の搭載物が配置される油圧ショベル等の建設機械に関する。
【背景技術】
【０００２】
この種の従来技術が特許文献１に開示されている。この特許文献１に開示された建設機械は例えば油圧ショベルであり、本体を構成する走行体及び旋回体と、旋回体に上下方向の回動可能に取り付けられる作業アタッチメント、すなわち作業装置とを備えている。また、旋回体の右前箇所、すなわちキャビンの右側方の前側位置には、ペール缶等の搭載物が載置される置き台が固定されている。
【先行技術文献】
【特許文献】
【０００３】
【特許文献１】特開２０１３−６４２５５号公報
【発明の概要】
【発明が解決しようとする課題】
【０００４】
上述した従来技術は、本体すなわち旋回体の右前箇所にペール缶等の搭載物が載置される置き台が固定されていることから、この旋回体の右前箇所を利用して何らかの作業を行う場合に、置き台が邪魔になり所望の作業の実施が困難となってしまう。例えば点検作業のために、旋回体の上方に上る足かけとなるステップを、旋回体の右前箇所の置き台の側方に設けようとした場合には、ステップの昇り降りが置き台が邪魔をして困難になってしまう。
【０００５】
本発明は、上述した従来技術における実情からなされたもので、その目的は、本体の右前箇所に搭載物が載置される置き台を備えたものにあって、本体の右前箇所を所望の作業の実施のために有効活用させることができる建設機械を提供することにある。
【課題を解決するための手段】
【０００６】
この目的を達成するために、本発明は、本体と、この本体に取り付けられる作業装置と、上記本体の右前箇所に配置される搭載物とを備えた建設機械において、上記作業装置が取り付けられる取り付けブラケットと、上記本体の上記右前箇所に位置する外装カバーの最前部とによって囲まれる空間部に設けられ、上記搭載物を載置可能な置き台と、上記置き台に上記搭載物が載置されないときに、上記置き台を上記外装カバーによって隠されるように後退可能にさせ、上記置き台に上記搭載物が載置されるときに、上記置き台を上記空間部に前進可能にさせる置き台進退部とを備えたことを特徴としている。
【０００７】
このように構成した本発明は、作業装置が取り付けられる取り付けブラケットと、本体の右前箇所に位置する外装カバーの最前部とによって囲まれる空間部に、搭載物が載置される置き台を配置したい場合には、置き台進退部によって置き台を上述した空間部へ前進させることができる。
【０００８】
また、上述した空間部、すなわち本体の右前箇所を所望の作業のために使用したい場合には、置き台進退部によって置き台を外装カバーによって隠されるように後退させることができる。これにより上述した空間部から置き台を除くことができる。すなわち本発明は、本体の右前箇所に搭載物が載置される置き台を備えたものにあって、本体の右前箇所を所望の作業の実施のために有効活用させることができる。
【０００９】
また本発明は、上記発明において、上記取り付けブラケットに隣接させて、上記本体の上方に上る際の足掛かりとなるステップを備え、上記置き台に上記搭載物が載置されるときには、上記ステップと、上記外装カバーの最前部とによって囲まれる空間部に、上記置き台を配置したことを特徴としている。このように構成した本発明は、本体の右前箇所にステップを備えた場合でも、置き台進退部によって置き台を後退させて、本体の右前箇所を所望の作業の実施のために有効活用させることができる。
【００１０】
また本発明は、上記発明において、上記置き台に上記搭載物を固定する固定部を備えたことを特徴としている。このように構成した本発明は、作業装置を駆動させて行われる作業の間、固定部によって搭載物を置き台上に安定して保持させることができる。
【００１１】
また本発明は、上記発明において、上記置き台進退部は、上記置き台に形成され、上記本体の前後方向に沿って伸長する長穴と、上記長穴に挿入され上記置き台を固定可能なボルトとを含むことを特徴としている。このように構成した本発明は、置き台進退部の構成を簡単にすることができる。
【００１２】
また本発明は、上記発明において、当該建設機械は、油圧ショベルから成り、上記搭載物は、ペール缶から成ることを特徴としている。このように構成した本発明は、ペール缶の使用頻度が比較的高い油圧ショベルに好適である。
【発明の効果】
【００１３】
本発明に係る建設機械は、搭載物が載置される置き台を本体の右前箇所に進退可能な置き台進退部を備えていることから、本体の右前箇所に搭載物が載置される置き台を備えたものにあって、本体の右前箇所を所望の作業の実施のために活用しようとするときには、置き台を除いた状態にすることができる。したがって、従来では活用が困難であった本体の右前箇所を、所望の作業の実施のために有効活用させることができ、当該建設機械の利用者に対する利便性を従来よりも向上させることができる。
【図面の簡単な説明】
【００１４】
【図１】本発明に係る建設機械の一実施形態を構成する油圧ショベルを示す側面図である。
【図２】本実施形態の要部構成を示す図で、置き台が収納された状態を示す斜視図である。
【図３】図２に示した要部の底面図である。
【図４】本実施形態の要部構成を示す図で、置き台が引き出された状態を示す斜視図である。
【図５】図４に示した要部の底面図である。
【図６】置き台にペール缶を載置した状態を示す要部斜視図である。
【図７】置き台にペール缶を載置した状態を示す要部正面図である。
【図８】ペール缶を載置した状態の置き台の側面図である。
【図９】ペール缶を載置した状態の置き台の平面図である。
【図１０】置き台に載置されるペール缶の分解斜視図である。
【発明を実施するための形態】
【００１５】
以下、本発明に係る建設機械の実施の形態を図面に基づいて説明する。
【００１６】
本発明に係る建設機械の一実施形態は、例えば油圧ショベルであり、この油圧ショベルは、図１に示すように、走行体１と、この走行体１上に配置される旋回体２と、この旋回体２に上下方向の回動可能に連結される作業装置３とを備えている。
【００１７】
走行体１及び旋回体２は、本体を構成している。作業装置３は、旋回体２に連結されるブーム４と、このブーム４の先端に連結されるアーム５と、このアーム５の先端に連結されるバケット６とを備えている。
【００１８】
旋回体２のメインフレーム２ａ上の前側の左位置には運転室７を備え、後側位置にはカウンタウェイト８を備えている。運転室７とカウンタウェイト８の間には、エンジン、油圧ポンプ等が収納されるエンジン室９を配置してある。
【００１９】
図２に示すように、上述した運転室７の右側方には作業装置３が取り付けられる取り付けブラケット１０を配置してあり、この取り付けブラケット１０に隣接させて、旋回体２の上方に上る際の足掛かりとなるステップ１２を配置してある。このステップ１２は、旋回体２の右前箇所に位置する外装カバー１１の最前部よりも前側に位置するように配置してある。また、外装カバー１１の右前箇所には、ステップ１２の昇降時に活用させる手摺り１３を設けてある。
【００２０】
以上の基本構成を有する本実施形態は、図４，６，７に示すように、取り付けブラケット１０と、旋回体２の右前箇所に位置する外装カバー１１の最前部とによって囲まれる空間部、例えばステップ１２と外装カバー１１の最前部とによって囲まれる空間部に取り付けられ、搭載物例えばペール缶２３を載置可能な置き台２０を備えている。
【００２１】
また本実施形態は、置き台２０にペール缶２３が載置されないときに、置き台２０を外装カバー１１によって隠されるように、またアンダーカバー２４の下側に位置するように後退可能にさせ、置き台２０にペール缶２３が載置されるときに、置き台２０を上述した空間部に前進可能にさせる置き台進退部を備えている。
【００２２】
図３，５に示すように、置き台進退部は、置き台２０に形成され、旋回体２の前後方向に沿って伸長する長穴２０ａと、この長穴２０ａに挿入され、置き台２０をメインフレーム２側に固定可能なボルト２１，２２とを含んでいる。
【００２３】
例えば置き台２０には、互いに並行に配置された２本の長穴２０ａを形成してあり、これらの長穴２０ａのそれぞれに挿入される１組のボルト２１と、他の１組のボルト２２とを備えている。例えば１組のボルト２１を結ぶ方向は長穴２０ａの伸長方向と略直交する方向となっている。同様に、他の１組のボルト２２を結ぶ方向も、長穴２０ａの伸長方向と直交する方向となっている。
【００２４】
置き台２０が外装カバー１１によって隠されるように後退、すなわち収納された状態では、例えば図３に示すように、旋回体２の前後方向に対してボルト２２が前側に配置され、ボルト２１が後側に配置され、これらのボルト２１，２２によって置き台２０が固定される。
【００２５】
また、ペール缶２３を載置させるために、置き台２０が前進した状態、すなわち引き出された状態では、図５に示すように、旋回体２の前後方向に対してボルト２１が前側に配置され、ボルト２２が後側に配置され、これらのボルト２１，２２によって置き台２０が固定される。
【００２６】
また本実施形態は、置き台２０にペール缶２３を固定する固定部を備えている。この固定部は、図８〜１０に示すように、置き台２０に形成した例えば３つのボルト穴２０ｂと、ペール缶２３を囲むように上下に配置されて、このペール缶２３を保持する環状のベルト３０，３２とを含んでいる。ベルト３０には上述した３つのボルト穴２０ｂのそれぞれに適合するように３つの円筒部３１を一体に設けてあり、ベルト３２にはベルト３０の３つの円筒部３１の直上に配置可能な３つの円筒部３３を設けてある。
【００２７】
また、置き台２０にペール缶２３を固定する上述した固定部は、ベルト３の筒部３１、ベルト３２の筒部３３、及び置き台２０のボルト穴２０ｂのそれぞれに挿入されるロッド３４と、このロッド３４を置き台２０、ベルト３０の筒部３１、及びベルト３２の筒部３３に固定するナット３５、及びワッシャ３６を備えている。
【００２８】
３本のロッド３４のそれぞれの上側部分、及び下側部分にはねじ部が形成されている。１本のロッド３４に関して言えば、ペール缶２３に装着されたベルト３０を置き台２０上に載置させた状態で、ロッド３４の下側部分のねじ部に螺合する上下一対のボルト３５によって、置き台２０と、ベルト３０の筒部３１と、ロッド３４の下側部分とを一体に固定させるようにしてある。また、ロッド３４の上側部分のねじ部に装着させた一対のワッシャ３６、及び当該ねじ部に螺合する一対のボルト３５によって、ベルト３２の筒部３３と、ロッド３４の上側部分とを一体に固定させるようにしてある。他の２本のロッド３４に関しても同様である。
【００２９】
このように構成した本実施形態によれば、旋回体２の右前箇所のステップ１２と、外装カバー１１の最前部とによって囲まれる空間部に、ペール缶２３が載置される置き台２０を配置したい場合には、図２，３に示す状態から、ボルト２１のそれぞれを取り外し、ボルト２２のそれぞれをゆるめて置き台２０を前進させ、図５に示すように、ボルト２１のそれぞれを、ボルト２２のそれぞれの前側位置に移動させて対応する長穴２０ａに挿入し、メインフレーム２ａ側のカバーに形成されているねじ穴に螺合させ、この状態でボルト２１，２２を締結して置き台２０を固定することが行われる。
【００３０】
このような状態から、上述した筒部３１を有するベルト３０、および筒部３３を有するベルト３２、ロッド３４、ナット３５、及びワッシャ３６によって、ペール缶２３を置き台２０上に固定することが行われ、図６，７に示す状態となる。
【００３１】
また例えば、旋回体２の上方に上って点検作業を行う場合などに際しては、上述の状態からペール缶２３を取り外し、図５に示す状態からボルト２１のそれぞれを取り外し、ボルト２２のそれぞれをゆるめて、置き台２０を外装カバー１１によって隠されるように後退させ、図３に示すように、ボルト２１のそれぞれをボルト２２のそれぞれの後側に移動させて対応する長穴２０ａに挿入し、メインフレーム２ａのアンダーカバー２４に形成されているねじ穴に螺合させ、この状態でボルト２１，２２を締結して置き台２０を固定することが行われる。
【００３２】
このように構成した本実施形態は、ペール缶２３が載置される置き台２０を旋回体２の右前箇所に進退可能な長穴２０ａ、及びボルト２１，２２を含む置き台進退部を備えていることから、旋回体２の右前箇所にペール缶２３が載置される置き台２０を備えたものにあって、旋回体２の右前箇所を所望の作業の実施のために活用しようとするときには、置き台２０を除いた状態にすることができる。したがって旋回体２の右前箇所を、所望の作業の実施のために有効活用させることができ、当該油圧ショベルの利用者に対する利便性を向上させることができる。
【００３３】
また、置き台２０を後退させた際には、外装カバー１１によって隠されるので、当該油圧ショベルの美観を損なうことがない。
【００３４】
また本実施形態は、旋回体２の右前箇所にステップ１２を備えたものであっても、置き台進退部によって置き台２０を後退させ、旋回体２の右前箇所を所望の作業の実施のために有効活用させることができる。
【００３５】
また本実施形態は、作業装置３を駆動させて行われる掘削作業等の作業の間、ベルト３０，３２、ロッド３４等を含む固定部によって、ペール缶２３を置き台２０上に安定して保持させることができ、高い信頼性を確保することができる。
【００３６】
また本実施形態は、置き台進退部が、置き台２０に形成した長穴２０ａ、及びボルト２１，２２を含む構成であり、構成を簡単にすることができ、優れた実用性を有する。
【００３７】
また本実施形態に係る油圧ショベルは、一般的にペール缶２３の使用頻度が高いことから好適である。また、油圧ショベルのうちでも後方超小旋回型のミニショベルなどの小型ショベルにあっては、部品配置スペースに大きな制約を受けることから、旋回体２の右前箇所のデッドスペースを置き台２０の設置スペースとして活用しながらも、置き台進退部によって置き台２０を後退可能に構成した本実施形態は特に有効である。
【００３８】
なお、上記実施形態は、置き台２０に載置される搭載物としてペール缶２３を挙げたが、本発明はペール缶２３を搭載物とすることには限られず、工具箱、資材、機器等を搭載物とすることができる。
【符号の説明】
【００３９】
１    走行体（本体）
２    旋回体（本体）
２ａ  メインフレーム
３    作業装置
４    ブーム
５    アーム
６    バケット
７    運転室
８    カウンタウェイト
９    エンジン室
１０    取り付けブラケット
１１    外装カバー
１２    ステップ
１３    手摺り
２０    置き台
２０ａ  長穴
２０ｂ  ボルト穴
２１    ボルト
２２    ボルト
２３    ペール缶（搭載物）
２４    アンダーカバー
３０    ベルト
３１    筒部
３２    ベルト
３３    筒部
３４    ロッド
３５    ナット
３６    ワッシャ
【図１】
2016037789.tif 000003
【図２】
2016037789.tif 000004
【図３】
2016037789.tif 000005
【図４】
2016037789.tif 000006
【図５】
2016037789.tif 000007
【図６】
2016037789.tif 000008
【図７】
2016037789.tif 000009
【図８】
2016037789.tif 000010
【図９】
2016037789.tif 000011
【図１０】
2016037789.tif 000012